(57)【要約】【課題】プラントにおける苛酷事故の発生を監視し、監視結果に基づいて支援情報を提示する。【解決手段】実施形態の苛酷事故時支援監視装置１ａは、計測信号１０の少なくとも一部の計測信号を受信する信号受信処理部１３、プラント設備における監視項目を含む安全／代替系統データとを関連付けて格納する安全／代替系統信号抽出情報ＤＢ１４、安全／代替系統データを抽出して監視内容を付加する系統信号抽出部１５、安全／代替系統データを保存する安全／代替系統データ保存部１６、苛酷事故を判定するＳＡ判定処理部１７ａ、安全系統および代替系統に関する系統起動条件とその成立有無を判断または各々の系統の起動時刻を予測する系統起動条件／スケジュール予測部１８および安全／代替系統データなどを体系立てて表示する系統情報表示部１１０を備える。【選択図】図１
2014206947.tif 000002
【特許請求の範囲】
【請求項１】
安全系統および代替系統に関するプラント設備を有するプラントに設置された複数の計測装置から出力される計測信号を入力し、前記プラントを監視するプラント監視装置を支援する苛酷事故時支援監視装置であって、
前記プラント監視装置へ入力される前記計測信号の少なくとも一部の計測信号を受信する信号受信処理部と、
前記安全系統および代替系統ごとに、前記計測信号に含まれる安全／代替系統信号と、前記プラント設備における監視項目を含む安全／代替系統データとを関連付けて格納する安全／代替系統信号抽出情報データベースと、
前記安全／代替系統信号抽出情報データベースを参照して、前記信号受信処理部により受信された前記計測信号から前記安全／代替系統信号を特定し、特定した前記安全／代替系統信号に関連付けられた前記安全／代替系統データを抽出して前記監視項目に対応する監視内容を付加する系統信号抽出部と、
前記系統信号抽出部により前記監視内容を付加された前記安全／代替系統データを保存する安全／代替系統データ保存部と、
前記信号受信処理部から前記計測信号を入力し、入力した前記計測信号を用いて所定のロジック判定処理により前記プラントについて苛酷事故を判定する苛酷事故判定処理部と、
前記苛酷事故判定処理部により判定された前記ロジック判定処理の結果と、前記安全／代替系統データ保存部に保存された前記安全／代替系統データとに基づいて、前記安全系統および代替系統に関する系統起動条件およびその系統起動条件成立の有無を判断し、または、前記安全系統および代替系統に含まれる各々の系統が起動可能な起動時刻を予測する系統起動条件／スケジュール予測部と、
前記系統起動条件／スケジュール予測部により判断した前記系統起動条件およびその系統起動条件成立の有無または予測した前記起動時刻と、前記安全／代替系統データとを表示する系統情報表示部と、を備える
ことを特徴とする苛酷事故時支援監視装置。
【請求項２】
プラント安全健全性および系統健全性の監視優先度階層に分類されて当該監視優先度階層ごとに監視対象の監視優先度が格納され、当該監視優先度階層ごとに前記監視対象の計測信号が関連付けられて信号優先度が格納される監視／信号優先度データベースと、
前記苛酷事故判定処理部により前記苛酷事故と判定された際に、前記ロジック判定処理に用いられた前記計測信号について前記監視／信号優先度データベースに格納された前記監視優先度および信号優先度に基づいた優先順位に従って前記監視対象の前記計測信号に関する前記監視内容を記録する監視／信号優先度判定記録部と、
前記監視／信号優先度判定記録部により記録された前記監視対象の前記計測信号に関する前記監視内容を保存する監視／信号優先度データ保存部と、
前記苛酷事故と判定された際に、前記苛酷事故から前記プラントを復旧させるための情報を含む復旧ガイダンスを表示する復旧ガイダンス表示部と、をさらに備える
ことを特徴とする請求項１に記載の苛酷事故時支援監視装置。
【請求項３】
前記ロジック判定処理に用いる前記計測信号ごとに前記苛酷事故の進展ステージに対応したＳＡ警報判定値を少なくとも記憶するＳＡ警報判定値記憶部と、
前記苛酷事故の前記進展ステージに応じて、前記ロジック判定処理に用いる前記計測信号についての前記ＳＡ警報判定値を切り替えるＳＡ警報判定値切替部と、
前記ＳＡ警報判定値切替部により切り替えられた前記計測信号についての前記ＳＡ警報判定値を現ＳＡ警報判定値として設定するＳＡ警報判定値設定部と、
前記ＳＡ警報判定値設定部に設定された前記現ＳＡ警報判定値を用いて、前記ロジック判定処理に用いる前記計測信号について前記現ＳＡ警報判定値を逸脱する入力があったか否かを判定する警報判定を行う警報判定処理部と、
前記ロジック判定処理に用いる前記計測信号ごとに前記警報判定処理部による前記警報判定の結果を表示する警報状態表示部と、をさらに備え、
前記警報判定の結果は、前記現ＳＡ警報判定値を逸脱する入力があった場合にＳＡ警報とされ、前記現ＳＡ警報判定値を逸脱する入力がなかった場合に正常とされる
ことを特徴とする請求項２に記載の苛酷事故時支援監視装置。
【請求項４】
前記計測信号ごとに前記ＳＡ警報の状態から前記正常状態までの期間における信号の履歴を記憶する信号入力履歴記憶部と、
前記プラントについて前記苛酷事故と判定された時から前記苛酷事故から復旧と判定されるまでの復旧期間における前記安全／代替系統データを前記安全／代替系統データ保存部から抽出して記憶する安全／代替系統状態履歴記憶部と、
過去の前記苛酷事故から復旧と判定されるまでの復旧期間における前記安全／代替系統データを保存する警報復帰時安全／代替系統状態保存部と、
前記ＳＡ警報が発生した場合に、前記警報復帰時安全／代替系統状態保存部から前記過去の前記苛酷事故から復旧と判定されるまでの復旧期間における前記安全／代替系統データを抽出する警報復帰状態学習部と、
前記警報復帰状態学習部により抽出された前記安全／代替系統データを表示する復旧情報表示部と、をさらに備え、
前記警報復帰状態学習部は、前記苛酷事故から復旧と判定された後、前記プラントについて前記苛酷事故と判定された時から前記苛酷事故から復旧と判定されるまでの前記復旧期間における前記安全／代替系統データを前記警報復帰時安全／代替系統状態保存部に保存する
ことを特徴とする請求項３に記載の苛酷事故時支援監視装置。
【請求項５】
前記苛酷事故時支援監視装置は、前記プラントに関する警報を処理するＡＮＮ盤に接続され、
前記プラントに関する警報に対して設定する警報判定値を、さらに前記ＡＮＮ盤からの前記警報判定値を切り替える要求に応じて、前記ＳＡ警報判定値切替部に前記ＳＡ警報判定値の切替許可を与える警報判定値切替要求処理部と、
前記現ＳＡ警報判定値を前記ＡＮＮ盤に送信可能なＳＡ警報判定値送信部と、をさらに備え、
前記警報判定値切替要求処理部が前記ＳＡ警報判定値の切替許可を受けた場合に、前記ＳＡ警報判定値切替部が前記ＳＡ警報判定値を切り替え、前記ＳＡ警報判定値送信部が前記現ＳＡ警報判定値を前記ＡＮＮ盤に送信する
ことを特徴とする請求項３または請求項４に記載の苛酷事故時支援監視装置。
【請求項６】
前記苛酷事故時支援監視装置は、前記プラントに設置された中操表示スクリーンの表示を切り替えるスクリーン切替装置に接続され、
前記ＡＮＮ盤においてＳＡ警報が発生したか否かを示すＳＡ専用ＡＮＮ表示データを生成し、当該ＳＡ専用ＡＮＮ表示データと共に画像切替要求信号を前記スクリーン切替装置に送信するＳＡ専用ＡＮＮ情報処理部をさらに備え、
前記ＳＡ専用ＡＮＮ情報処理部は、前記ＳＡ警報判定値送信部により前記ＡＮＮ盤の前記警報判定値として前記現ＳＡ警報判定値が送信された場合に、前記スクリーン切替装置を介して、前記中操表示スクリーンに前記ＳＡ専用ＡＮＮ表示データを送信し、前記ＳＡ専用ＡＮＮ表示データに基づく表示を前記中操表示スクリーンに表示させる
ことを特徴とする請求項５に記載の苛酷事故時支援監視装置。
【請求項７】
前記苛酷事故時支援監視装置は、さらに外部システムに通信可能に接続され、
前記ＳＡ警報判定値送信部が、前記外部システムに前記プラントの警報およびこれに対応する前記現ＳＡ警報判定値を送信する
ことを特徴とする請求項５または請求項６に記載の苛酷事故時支援監視装置。
【請求項８】
前記外部システムは、オフサイトセンタである
ことを特徴とする請求項７に記載の苛酷事故時支援監視装置。
【請求項９】
前記外部システムは、プロセス計算機である
ことを特徴とする請求項７に記載の苛酷事故時支援監視装置。
【請求項１０】
前記プラントには、前記プラント監視装置へ入力される前記計測信号を、前記プラント監視装置へ入力される前に前記計測信号の少なくとも一部の計測信号を分配する信号分配装置が設けられ、
前記信号受信処理部は、前記信号分配装置から分配された前記少なくとも一部の計測信号を受信する
ことを特徴とする請求項１ないし請求項９のいずれか一項に記載の苛酷事故時支援監視装置。
【請求項１１】
安全系統および代替系統に関するプラント設備を有するプラントに設置された複数の計測装置から出力される計測信号を入力して前記プラントを監視するプラント監視装置を支援する、前記安全系統および代替系統ごとに前記計測信号に含まれる安全／代替系統信号と前記プラント設備における監視項目を含む安全／代替系統データとを関連付けて格納する安全／代替系統信号抽出情報データベースを備える苛酷事故時支援監視装置に用いられる苛酷事故時支援監視方法であって、
前記苛酷事故時支援監視装置が、前記プラント監視装置へ入力される前記計測信号の少なくとも一部の計測信号を受信する信号受信処理ステップと、
前記苛酷事故時支援監視装置が、前記安全／代替系統信号抽出情報データベースに基づいて、前記信号受信処理ステップにおいて受信された前記計測信号から前記安全／代替系統信号を特定し、特定した前記安全／代替系統信号に関連付けられた前記安全／代替系統データを抽出して前記監視項目に対応する監視内容を付加する系統信号抽出ステップと、
前記苛酷事故時支援監視装置が、前記系統信号抽出ステップにおいて前記監視内容を付加された前記安全／代替系統データを保存する安全／代替系統データ保存ステップと、
前記苛酷事故時支援監視装置が、前記信号受信処理ステップにおいて入力した前記計測信号を用いて所定のロジック判定処理により前記プラントについて苛酷事故を判定する苛酷事故判定処理ステップと、
前記苛酷事故時支援監視装置が、前記苛酷事故判定処理ステップにおいて判定された前記ロジック判定処理の結果と、前記安全／代替系統データ保存ステップにおいて保存された前記安全／代替系統データとに基づいて、前記安全系統および代替系統に関する系統起動条件およびその系統起動条件成立の有無を判断し、または、前記安全系統および代替系統に含まれる各々の系統が起動可能な起動時刻を予測する系統起動条件／スケジュール予測ステップと、
前記苛酷事故時支援監視装置が、前記系統起動条件／スケジュール予測ステップにおいて判断した前記系統起動条件およびその系統起動条件成立の有無または予測した前記起動時刻と、前記安全／代替系統データとを表示する系統情報表示ステップと、を含む
ことを特徴とする苛酷事故時支援監視方法。
【請求項１２】
安全系統および代替系統に関するプラント設備を有するプラントに設置された複数の計測装置から出力される計測信号を入力して前記プラントを監視するプラント監視装置を支援する苛酷事故時支援監視装置と、前記苛酷事故時支援監視装置に接続されて前記プラントに関する警報を取り込んで処理するＡＮＮ盤とを備える苛酷事故時支援監視システムであって、
前記苛酷事故時支援監視装置は、
前記プラント監視装置へ入力される前記計測信号の少なくとも一部の計測信号を受信する信号受信処理部と、
前記安全系統および代替系統ごとに、前記計測信号に含まれる安全／代替系統信号と、前記プラント設備における監視項目を含む安全／代替系統データとを関連付けて格納する安全／代替系統信号抽出情報データベースと、
前記安全／代替系統信号抽出情報データベースに基づいて、前記信号受信処理部により受信された前記計測信号から前記安全／代替系統信号を特定し、特定した前記安全／代替系統信号に関連付けられた前記安全／代替系統データを抽出して前記監視項目に対応する監視内容を付加する系統信号抽出部と、
前記系統信号抽出部により前記監視内容を付加された前記安全／代替系統データを保存する安全／代替系統データ保存部と、
前記信号受信処理部から前記計測信号を入力し、入力した前記計測信号を用いて所定のロジック判定処理により前記プラントについて苛酷事故を判定する苛酷事故判定処理部と、
前記苛酷事故判定処理部により判定された前記ロジック判定処理の結果と、前記安全／代替系統データ保存部に保存された前記安全／代替系統データとに基づいて、前記安全系統および代替系統に関する系統起動条件およびその系統起動条件成立の有無を判断し、または、前記安全系統および代替系統に含まれる各々の系統が起動可能な起動時刻を予測する系統起動条件／スケジュール予測部と、
前記系統起動条件／スケジュール予測部により判断した前記系統起動条件およびその系統起動条件成立の有無または予測した前記起動時刻と、前記安全／代替系統データとを表示する系統情報表示部と、
前記ロジック判定処理に用いる前記計測信号ごとに前記苛酷事故の進展ステージに対応したＳＡ警報判定値を少なくとも記憶するＳＡ警報判定値記憶部と、
前記苛酷事故の前記進展ステージに応じて、前記ロジック判定処理に用いる前記計測信号についての前記ＳＡ警報判定値を切り替えるＳＡ警報判定値切替部と、
前記ＳＡ警報判定値切替部により切り替えられた前記計測信号についての前記ＳＡ警報判定値を現ＳＡ警報判定値として設定するＳＡ警報判定値設定部と、
前記ＳＡ警報判定値設定部に設定された前記現ＳＡ警報判定値を用いて、前記ロジック判定処理に用いる前記計測信号について前記現ＳＡ警報判定値を逸脱する入力があった否かを判定する警報判定を行う警報判定処理部と、
前記プラントに関する警報に対して設定する警報判定値を、前記ＡＮＮ盤からの前記警報判定値を切り替える要求に応じて、前記苛酷事故の前記進展ステージに応じた前記現ＳＡ警報判定値と前記苛酷事故に至る前の通常の前記プラントに応じた通常警報判定値とのいずれかに切り替え可能な警報判定値切替要求処理部と、
前記現ＳＡ警報判定値を前記ＡＮＮ盤に送信可能なＳＡ警報判定値送信部と、を備え、
前記ＡＮＮ盤は、
前記警報ごとのＡＮＮ判定値を記憶するＡＮＮ判定値記憶部と、
前記プラントの通常運転に対応する前記通常警報判定値から前記苛酷事故時に対応する前記ＳＡ警報判定値への切り替えを行う場合に、前記苛酷事故時支援監視装置へ判定値切替要求信号を送信する警報判定値切替部と、
前記ＳＡ警報判定値送信部から前記現ＳＡ警報判定値および警報判定値切替許可を含む伝送データを受信し、受信した伝送データに基づいて、前記ＡＮＮ判定値記憶部に記憶される前記ＡＮＮ判定値の一部または全部について更新または追加するＳＡ警報判定値受信部と、
前記ＡＮＮ判定値記憶部に記憶された前記ＡＮＮ判定値を用いて、ＡＮＮ窓に出力するための警報判定を行うＡＮＮ判定処理部と、
前記ＡＮＮ判定処理部から前記警報判定の結果を受けて、前記ＡＮＮ窓に警報出力処理を行うＡＮＮ通報処理部と、を備え、
前記ＳＡ警報判定値送信部は、前記警報判定値切替要求処理部が前記ＡＮＮ盤から前記現ＳＡ警報判定値に切り替える要求を受けた場合に、前記現ＳＡ警報判定値を前記ＡＮＮ盤に送信する
ことを特徴とする苛酷事故時支援監視システム。
【請求項１３】
前記苛酷事故時支援監視システムは、さらに外部システムに接続され、
前記外部システムに、ＳＡ警報および前記ＳＡ警報判定値を通知する
ことを特徴とする請求項１２に記載の苛酷事故時支援監視システム。
【請求項１４】
前記外部システムは、オフサイトセンタである
ことを特徴とする請求項１２に記載の苛酷事故時支援監視システム。
【請求項１５】
安全系統および代替系統に関するプラント設備を有するプラントを監視するプラント監視装置と、前記プラント監視装置を支援する苛酷事故時支援監視装置と、前記苛酷事故時支援監視装置に接続されて前記プラントに関する警報を取り込んで処理するＡＮＮ盤とを備えるプラント監視システムであって、
前記プラント監視装置は、前記プラントに設置された複数の計測装置から出力される計測信号を入力して前記プラントを監視し、
前記苛酷事故時支援監視装置は、
前記プラント監視装置へ入力される前記計測信号の少なくとも一部の計測信号を受信する信号受信処理部と、
前記安全系統および代替系統ごとに、前記計測信号に含まれる安全／代替系統信号と、前記プラント設備における監視項目を含む安全／代替系統データとを関連付けて格納する安全／代替系統信号抽出情報データベースと、
前記安全／代替系統信号抽出情報データベースに基づいて、前記信号受信処理部により受信された前記計測信号から前記安全／代替系統信号を特定し、特定した前記安全／代替系統信号に関連付けられた前記安全／代替系統データを抽出して前記監視項目に対応する監視内容を付加する系統信号抽出部と、
前記系統信号抽出部により前記監視内容を付加された前記安全／代替系統データを保存する安全／代替系統データ保存部と、
前記信号受信処理部から前記計測信号を入力し、入力した前記計測信号を用いて所定のロジック判定処理により前記プラントについて苛酷事故を判定する苛酷事故判定処理部と、
前記苛酷事故判定処理部により判定された前記ロジック判定処理の結果と、前記安全／代替系統データ保存部に保存された前記安全／代替系統データとに基づいて、前記安全系統および代替系統に関する系統起動条件およびその系統起動条件成立の有無を判断し、または、前記安全系統および代替系統に含まれる各々の系統が起動可能な起動時刻を予測する系統起動条件／スケジュール予測部と、
前記系統起動条件／スケジュール予測部により判断した前記系統起動条件およびその系統起動条件成立の有無または予測した前記起動時刻と、前記安全／代替系統データとを表示する系統情報表示部と、
前記ロジック判定処理に用いる前記計測信号ごとに前記苛酷事故の進展ステージに対応したＳＡ警報判定値を少なくとも記憶するＳＡ警報判定値記憶部と、
前記苛酷事故の前記進展ステージに応じて、前記ロジック判定処理に用いる前記計測信号についての前記ＳＡ警報判定値を切り替えるＳＡ警報判定値切替部と、
前記ＳＡ警報判定値切替部により切り替えられた前記計測信号についての前記ＳＡ警報判定値を現ＳＡ警報判定値として設定するＳＡ警報判定値設定部と、
前記ＳＡ警報判定値設定部に設定された前記現ＳＡ警報判定値を用いて、前記ロジック判定処理に用いる前記計測信号について前記現ＳＡ警報判定値を逸脱する入力があった否かを判定する警報判定を行う警報判定処理部と、
前記プラントに関する警報に対して設定する警報判定値を、前記ＡＮＮ盤からの前記警報判定値を切り替える要求に応じて、前記苛酷事故の前記進展ステージに応じた前記現ＳＡ警報判定値と前記苛酷事故に至る前の通常の前記プラントに応じた通常警報判定値とのいずれかに切り替え可能な警報判定値切替要求処理部と、
前記現ＳＡ警報判定値を前記ＡＮＮ盤に送信可能なＳＡ警報判定値送信部と、を備え、
前記ＡＮＮ盤は、
前記警報ごとのＡＮＮ判定値を記憶するＡＮＮ判定値記憶部と、
前記プラントの通常運転に対応する前記通常警報判定値から前記苛酷事故時に対応する前記ＳＡ警報判定値への切り替えを行う場合に、前記苛酷事故時支援監視装置へ判定値切替要求信号を送信する警報判定値切替部と、
前記ＳＡ警報判定値送信部から前記現ＳＡ警報判定値および警報判定値切替許可を含む伝送データを受信し、受信した伝送データに基づいて、前記ＡＮＮ判定値記憶部に記憶される前記ＡＮＮ判定値の一部または全部について更新または追加するＳＡ警報判定値受信部と、
前記ＡＮＮ判定値記憶部に記憶された前記ＡＮＮ判定値を用いて、ＡＮＮ窓に出力するための警報判定を行うＡＮＮ判定処理部と、
前記ＡＮＮ判定処理部から前記警報判定の結果を受けて、前記ＡＮＮ窓に警報出力処理を行うＡＮＮ通報処理部と、を備え、
前記ＳＡ警報判定値送信部は、前記警報判定値切替要求処理部が前記ＡＮＮ盤から前記現ＳＡ警報判定値に切り替える要求を受けた場合に、前記現ＳＡ警報判定値を前記ＡＮＮ盤に送信する
ことを特徴とするプラント監視システム。
【発明の詳細な説明】
【技術分野】
【０００１】
本発明の実施形態は、プラントを監視する苛酷事故時支援監視装置、苛酷事故時支援監視方法および苛酷事故時支援監視システムならびにプラント監視システムに関する。
【背景技術】
【０００２】
原子力発電所において、地震発生等の影響により苛酷事故（シビアアクシデント）に進展した状況の場合に、従来のプラント監視装置は、主に原子力発電所内設備におけるプラントの通常運転および過渡事象発生時のパラメータの監視を目的にしている。
【０００３】
なお、原子力プラントでのスクラム事故に対応するためのシステムであって、スクラム事故発生後の原子炉各部の状態を計測するための計測手段と、この計測手段により得られた個々の計測情報のうち、特定の計測情報を基に原子炉状態の危険度を示すリスク指標を算出する演算手段と、この演算手段により算出されたリスク指標を表示する表示手段と、を具備することが知られている（例えば、特許文献１を参照）。
【０００４】
また、原子力緊急事態計算システムにおいて、原子力発電プラントの状態を示す検出値を取得する取得部と、原子力発電プラントの非検出値算出モデルを記憶する記憶部と、検出値を引数として非検出値算出モデルに渡すことによって非検出値を算出する初期設定部と、検出値と非検出値とを事故時の原子力発電プラントの挙動を算出するプログラムに初期設定値として渡すプログラム起動部とを具備することが知られている（例えば、特許文献２を参照）。
【先行技術文献】
【特許文献】
【０００５】
【特許文献１】特開平６−２０１８９２号公報
【特許文献２】特開２００７−１０３７５号公報
【発明の概要】
【発明が解決しようとする課題】
【０００６】
前述の特許文献１等による技術では、苛酷事故発生時のプラントの情報を多重伝送でシステムに取り込み、制御棒、圧力、温度、水素濃度、放射能濃度等の信号情報により、原子炉格納容器状態の危険度を示すリスク指標として格納容器指標を算出し、監視装置に画面表示している。また、特許文献２等による技術では、所定の計算モデルを用いてプラント状態をトラッキングしながらシミュレーション予測し、異常値を運転員に通知している。
【０００７】
また、これらの技術では、苛酷事故発生時の判断手段を持たず、格納容器を含むプラント状態のリスク評価、予測計算を実施するものの事故拡大を防止するための安全系統、代替系統の動作に対する種々の情報提供や事故収束を目的とする支援機能を有する装置等については示されていない。
【０００８】
本発明の実施形態が解決しようとする課題は、プラントにおける苛酷事故の発生を監視し、監視結果に基づいて支援情報を提示することができる苛酷事故時支援監視装置、苛酷事故時支援監視方法および苛酷事故時支援監視システムならびにプラント監視システムを提供することである。
【課題を解決するための手段】
【０００９】
上記課題を解決するために、実施形態の苛酷事故時支援監視装置は、安全系統および代替系統に関するプラント設備を有するプラントに設置された複数の計測装置から出力される計測信号を入力し、前記プラントを監視するプラント監視装置を支援する苛酷事故時支援監視装置である。当該苛酷事故時支援監視装置は、前記プラント監視装置へ入力される前記計測信号の少なくとも一部の計測信号を受信する信号受信処理部と、前記安全系統および代替系統ごとに、前記計測信号に含まれる安全／代替系統信号と、前記プラント設備における監視項目を含む安全／代替系統データとを関連付けて格納する安全／代替系統信号抽出情報データベースと、前記安全／代替系統信号抽出情報データベースを参照して、前記信号受信処理部により受信された前記計測信号から前記安全／代替系統信号を特定し、特定した前記安全／代替系統信号に関連付けられた前記安全／代替系統データを抽出して前記監視項目に対応する監視内容を付加する系統信号抽出部と、前記系統信号抽出部により前記監視内容を付加された前記安全／代替系統データを保存する安全／代替系統データ保存部と、前記信号受信処理部から前記計測信号を入力し、入力した前記計測信号を用いて所定のロジック判定処理により前記プラントについて苛酷事故を判定する苛酷事故判定処理部と、前記苛酷事故判定処理部により判定された前記ロジック判定処理の結果と、前記安全／代替系統データ保存部に保存された前記安全／代替系統データとに基づいて、前記安全系統および代替系統に関する系統起動条件およびその系統起動条件成立の有無を判断し、または、前記安全系統および代替系統に含まれる各々の系統が起動可能な起動時刻を予測する系統起動条件／スケジュール予測部と、前記系統起動条件／スケジュール予測部により判断した前記系統起動条件およびその系統起動条件成立の有無または予測した前記起動時刻と、前記安全／代替系統データとを表示する系統情報表示部と、を備えることを特徴とする。
【００１０】
また、上記課題を解決するために、実施形態の苛酷事故時支援監視方法は、安全系統および代替系統に関するプラント設備を有するプラントに設置された複数の計測装置から出力される計測信号を入力して前記プラントを監視するプラント監視装置を支援する、前記安全系統および代替系統ごとに前記計測信号に含まれる安全／代替系統信号と前記プラント設備における監視項目を含む安全／代替系統データとを関連付けて格納する安全／代替系統信号抽出情報データベースを備える苛酷事故時支援監視装置に用いられる苛酷事故時支援監視方法である。当該苛酷事故時支援監視方法は、前記苛酷事故時支援監視装置が、前記プラント監視装置へ入力される前記計測信号の少なくとも一部の計測信号を受信する信号受信処理ステップと、前記苛酷事故時支援監視装置が、前記安全／代替系統信号抽出情報データベースに基づいて、前記信号受信処理ステップにおいて受信された前記計測信号から前記安全／代替系統信号を特定し、特定した前記安全／代替系統信号に関連付けられた前記安全／代替系統データを抽出して前記監視項目に対応する監視内容を付加する系統信号抽出ステップと、前記苛酷事故時支援監視装置が、前記系統信号抽出ステップにおいて前記監視内容を付加された前記安全／代替系統データを保存する安全／代替系統データ保存ステップと、前記苛酷事故時支援監視装置が、前記信号受信処理ステップにおいて入力した前記計測信号を用いて所定のロジック判定処理により前記プラントについて苛酷事故を判定する苛酷事故判定処理ステップと、前記苛酷事故時支援監視装置が、前記苛酷事故判定処理ステップにおいて判定された前記ロジック判定処理の結果と、前記安全／代替系統データ保存ステップにおいて保存された前記安全／代替系統データとに基づいて、前記安全系統および代替系統に関する系統起動条件およびその系統起動条件成立の有無を判断し、または、前記安全系統および代替系統に含まれる各々の系統が起動可能な起動時刻を予測する系統起動条件／スケジュール予測ステップと、前記苛酷事故時支援監視装置が、前記系統起動条件／スケジュール予測ステップにおいて判断した前記系統起動条件およびその系統起動条件成立の有無または予測した前記起動時刻と、前記安全／代替系統データとを表示する系統情報表示ステップと、を含むことを特徴とする。
【００１１】
また、上記課題を解決するために、実施形態の苛酷事故時支援監視システムは、安全系統および代替系統に関するプラント設備を有するプラントに設置された複数の計測装置から出力される計測信号を入力して前記プラントを監視するプラント監視装置を支援する苛酷事故時支援監視装置と、前記苛酷事故時支援監視装置に接続されて前記プラントに関する警報を取り込んで処理するＡＮＮ盤とを備える苛酷事故時支援監視システムである。前記苛酷事故時支援監視装置は、前記プラント監視装置へ入力される前記計測信号の少なくとも一部の計測信号を受信する信号受信処理部と、前記安全系統および代替系統ごとに、前記計測信号に含まれる安全／代替系統信号と、前記プラント設備における監視項目を含む安全／代替系統データとを関連付けて格納する安全／代替系統信号抽出情報データベースと、前記安全／代替系統信号抽出情報データベースに基づいて、前記信号受信処理部により受信された前記計測信号から前記安全／代替系統信号を特定し、特定した前記安全／代替系統信号に関連付けられた前記安全／代替系統データを抽出して前記監視項目に対応する監視内容を付加する系統信号抽出部と、前記系統信号抽出部により前記監視内容を付加された前記安全／代替系統データを保存する安全／代替系統データ保存部と、前記信号受信処理部から前記計測信号を入力し、入力した前記計測信号を用いて所定のロジック判定処理により前記プラントについて苛酷事故を判定する苛酷事故判定処理部と、前記苛酷事故判定処理部により判定された前記ロジック判定処理の結果と、前記安全／代替系統データ保存部に保存された前記安全／代替系統データとに基づいて、前記安全系統および代替系統に関する系統起動条件およびその系統起動条件成立の有無を判断し、または、前記安全系統および代替系統に含まれる各々の系統が起動可能な起動時刻を予測する系統起動条件／スケジュール予測部と、前記系統起動条件／スケジュール予測部により判断した前記系統起動条件およびその系統起動条件成立の有無または予測した前記起動時刻と、前記安全／代替系統データとを表示する系統情報表示部と、前記ロジック判定処理に用いる前記計測信号ごとに前記苛酷事故の進展ステージに対応したＳＡ警報判定値を少なくとも記憶するＳＡ警報判定値記憶部と、前記苛酷事故の前記進展ステージに応じて、前記ロジック判定処理に用いる前記計測信号についての前記ＳＡ警報判定値を切り替えるＳＡ警報判定値切替部と、前記ＳＡ警報判定値切替部により切り替えられた前記計測信号についての前記ＳＡ警報判定値を現ＳＡ警報判定値として設定するＳＡ警報判定値設定部と、前記ＳＡ警報判定値設定部に設定された前記現ＳＡ警報判定値を用いて、前記ロジック判定処理に用いる前記計測信号について前記現ＳＡ警報判定値を逸脱する入力があった否かを判定する警報判定を行う警報判定処理部と、前記プラントに関する警報に対して設定する警報判定値を、前記ＡＮＮ盤からの前記警報判定値を切り替える要求に応じて、前記苛酷事故の前記進展ステージに応じた前記現ＳＡ警報判定値と前記苛酷事故に至る前の通常の前記プラントに応じた通常警報判定値とのいずれかに切り替え可能な警報判定値切替要求処理部と、前記現ＳＡ警報判定値を前記ＡＮＮ盤に送信可能なＳＡ警報判定値送信部と、を備えている。また、前記ＡＮＮ盤は、前記警報ごとのＡＮＮ判定値を記憶するＡＮＮ判定値記憶部と、前記プラントの通常運転に対応する前記通常警報判定値から前記苛酷事故時に対応する前記ＳＡ警報判定値への切り替えを行う場合に、前記苛酷事故時支援監視装置へ判定値切替要求信号を送信する警報判定値切替部と、前記ＳＡ警報判定値送信部から前記現ＳＡ警報判定値および警報判定値切替許可を含む伝送データを受信し、受信した伝送データに基づいて、前記ＡＮＮ判定値記憶部に記憶される前記ＡＮＮ判定値の一部または全部について更新または追加するＳＡ警報判定値受信部と、前記ＡＮＮ判定値記憶部に記憶された前記ＡＮＮ判定値を用いて、ＡＮＮ窓に出力するための警報判定を行うＡＮＮ判定処理部と、前記ＡＮＮ判定処理部から前記警報判定の結果を受けて、前記ＡＮＮ窓に警報出力処理を行うＡＮＮ通報処理部と、を備えている。そして、前記ＳＡ警報判定値送信部は、前記警報判定値切替要求処理部が前記ＡＮＮ盤から前記現ＳＡ警報判定値に切り替える要求を受けた場合に、前記現ＳＡ警報判定値を前記ＡＮＮ盤に送信することを特徴とする。
【００１２】
また、上記課題を解決するために、実施形態のプラント監視システムは、安全系統および代替系統に関するプラント設備を有するプラントを監視するプラント監視装置と、前記プラント監視装置を支援する苛酷事故時支援監視装置と、前記苛酷事故時支援監視装置に接続されて前記プラントに関する警報を取り込んで処理するＡＮＮ盤とを備えるプラント監視システムである。前記プラント監視装置は、前記プラントに設置された複数の計測装置から出力される計測信号を入力して前記プラントを監視する。前記苛酷事故時支援監視装置は、前記プラント監視装置へ入力される前記計測信号の少なくとも一部の計測信号を受信する信号受信処理部と、前記安全系統および代替系統ごとに、前記計測信号に含まれる安全／代替系統信号と、前記プラント設備における監視項目を含む安全／代替系統データとを関連付けて格納する安全／代替系統信号抽出情報データベースと、前記安全／代替系統信号抽出情報データベースに基づいて、前記信号受信処理部により受信された前記計測信号から前記安全／代替系統信号を特定し、特定した前記安全／代替系統信号に関連付けられた前記安全／代替系統データを抽出して前記監視項目に対応する監視内容を付加する系統信号抽出部と、前記系統信号抽出部により前記監視内容を付加された前記安全／代替系統データを保存する安全／代替系統データ保存部と、前記信号受信処理部から前記計測信号を入力し、入力した前記計測信号を用いて所定のロジック判定処理により前記プラントについて苛酷事故を判定する苛酷事故判定処理部と、前記苛酷事故判定処理部により判定された前記ロジック判定処理の結果と、前記安全／代替系統データ保存部に保存された前記安全／代替系統データとに基づいて、前記安全系統および代替系統に関する系統起動条件およびその系統起動条件成立の有無を判断し、または、前記安全系統および代替系統に含まれる各々の系統が起動可能な起動時刻を予測する系統起動条件／スケジュール予測部と、前記系統起動条件／スケジュール予測部により判断した前記系統起動条件およびその系統起動条件成立の有無または予測した前記起動時刻と、前記安全／代替系統データとを表示する系統情報表示部と、前記ロジック判定処理に用いる前記計測信号ごとに前記苛酷事故の進展ステージに対応したＳＡ警報判定値を少なくとも記憶するＳＡ警報判定値記憶部と、前記苛酷事故の前記進展ステージに応じて、前記ロジック判定処理に用いる前記計測信号についての前記ＳＡ警報判定値を切り替えるＳＡ警報判定値切替部と、前記ＳＡ警報判定値切替部により切り替えられた前記計測信号についての前記ＳＡ警報判定値を現ＳＡ警報判定値として設定するＳＡ警報判定値設定部と、前記ＳＡ警報判定値設定部に設定された前記現ＳＡ警報判定値を用いて、前記ロジック判定処理に用いる前記計測信号について前記現ＳＡ警報判定値を逸脱する入力があった否かを判定する警報判定を行う警報判定処理部と、前記プラントに関する警報に対して設定する警報判定値を、前記ＡＮＮ盤からの前記警報判定値を切り替える要求に応じて、前記苛酷事故の前記進展ステージに応じた前記現ＳＡ警報判定値と前記苛酷事故に至る前の通常の前記プラントに応じた通常警報判定値とのいずれかに切り替え可能な警報判定値切替要求処理部と、前記現ＳＡ警報判定値を前記ＡＮＮ盤に送信可能なＳＡ警報判定値送信部と、を備えている。また、前記ＡＮＮ盤は、前記警報ごとのＡＮＮ判定値を記憶するＡＮＮ判定値記憶部と、前記プラントの通常運転に対応する前記通常警報判定値から前記苛酷事故時に対応する前記ＳＡ警報判定値への切り替えを行う場合に、前記苛酷事故時支援監視装置へ判定値切替要求信号を送信する警報判定値切替部と、前記ＳＡ警報判定値送信部から前記現ＳＡ警報判定値および警報判定値切替許可を含む伝送データを受信し、受信した伝送データに基づいて、前記ＡＮＮ判定値記憶部に記憶される前記ＡＮＮ判定値の一部または全部について更新または追加するＳＡ警報判定値受信部と、前記ＡＮＮ判定値記憶部に記憶された前記ＡＮＮ判定値を用いて、ＡＮＮ窓に出力するための警報判定を行うＡＮＮ判定処理部と、前記ＡＮＮ判定処理部から前記警報判定の結果を受けて、前記ＡＮＮ窓に警報出力処理を行うＡＮＮ通報処理部と、を備えている。そして、前記ＳＡ警報判定値送信部は、前記警報判定値切替要求処理部が前記ＡＮＮ盤から前記現ＳＡ警報判定値に切り替える要求を受けた場合に、前記現ＳＡ警報判定値を前記ＡＮＮ盤に送信することを特徴とする。
【発明の効果】
【００１３】
本発明に係る苛酷事故時支援監視装置、苛酷事故時支援監視方法および苛酷事故時支援監視システムならびにプラント監視システムの実施形態によれば、プラントにおける苛酷事故の発生を監視し、監視結果に基づいて支援情報を提示することができる。
【図面の簡単な説明】
【００１４】
【図１】本発明に係る苛酷事故時支援監視装置の第１の実施形態の構成を示すブロック図。
【図２】図１のプラント監視装置の構成の一例を示すブロック図。
【図３】図１のＳＡ判定処理部の判定処理の一例を示す論理図。
【図４】図１の系統起動条件／スケジュールデータ保存部に保存されるデータ構成例を示す図。
【図５】図１の苛酷事故時支援監視装置に用いられる苛酷事故時支援監視処理フローのフロー図。
【図６】本発明に係る苛酷事故時支援監視装置の第２の実施形態の構成を示すブロック図。
【図７】図６の監視／信号優先度データベースの構成例を示す図。
【図８】第２の実施形態の復旧ガイダンスの画面表示例を示す図。
【図９】本発明に係る苛酷事故時支援監視装置の第３の実施形態の構成を示すブロック図。
【図１０】本発明に係る苛酷事故時支援監視装置の第４の実施形態の構成を示すブロック図。
【図１１】第４の実施形態の復旧履歴データ参照の画面表示例を示す図。
【図１２】本発明に係る苛酷事故時支援監視装置の第５の実施形態の構成および苛酷事故時支援監視システムならびにプラント監視システムの実施形態の構成を示すブロック図。
【発明を実施するための形態】
【００１５】
以下、本発明に係る実施形態の苛酷事故時支援監視装置、苛酷事故時支援監視方法および苛酷事故時支援監視システムならびにプラント監視システムについて、図面を参照して具体的に説明する。ここで、互いに同一または類似の部分には共通の符号を付して、重複説明は省略する。ここで説明する下記の実施形態はいずれも、プラントとして原子炉プラントにおける苛酷事故時支援監視装置の一例をとりあげて説明する。
【００１６】
［第１の実施形態］
図１は、本発明に係る苛酷事故時支援監視装置の第１の実施形態の構成を示すブロック図である。また、図２は図１のプラント監視装置の構成の一例を示すブロック図である。また、図３は図１のＳＡ判定処理部の判定処理の一例を示す論理図であり、図４は図１の系統起動条件／スケジュールデータ保存部に保存されるデータ構成例を示す図である。図５は、図１の苛酷事故時支援監視装置に用いられる苛酷事故時支援監視処理フローのフロー図である。
【００１７】
図１は、例えば原子炉プラントの発電ユニット建屋に備えられたプラント監視装置１００と、そのプラント監視装置１００に複数の計測装置からの計測信号１０を中継して伝送すると共に当該信号を分配する信号分配装置２と、その分配された分配信号２０ａが入力される、例えば緊急対策建屋に備えられた苛酷事故時支援監視装置１ａとが示された構成図である。
【００１８】
はじめに、図２に示すプラント監視装置１００の機能について説明する。
【００１９】
信号分配装置２の信号入力処理部１１は、計測信号１０を入力する。計測信号１０は、プラント設備に備えられた複数の計測装置から出力される信号である。計測信号１０は、プラント監視装置１００で監視対象となる計測項目に対応する信号であり、例えば原子炉プラントの場合には原子炉圧力、原子炉水位、原子炉温度、排気筒の放射線モニタ等の信号である。
【００２０】
信号入力処理部１１は、入力した計測信号１０を、例えばアナログ信号については分配出力のために増幅し、デジタル信号については波形整形等の処理を行う。また、信号入力処理部１１は、必要に応じて、入力した計測信号１０の工学値変換（または物理値に対応するレンジ等に変換）を行い、信号分配処理部１２へ出力する。なお、計測信号１０の一部または全部を、信号入力処理部１１を介さずに、信号分配処理部１２にダイレクトに入力してもよい。この場合には、例えば信号分配処理部１２が信号入力処理部１１の機能も併せて有する。
【００２１】
信号分配処理部１２は、入力された計測信号１０を少なくとも２つの信号伝送路へ分配する。２つの信号伝送路は、苛酷事故時支援監視装置１ａに出力される分配信号２０ａ、および、プラント監視装置１００に出力される分配信号２０ｂを伝送する信号伝送路である。
【００２２】
なお、例えば、信号分配装置２が、当初、既設の発電ユニット建屋に設けられていない場合、すなわち、計測信号１０がプラント監視装置１００のみに直接入力されるように信号ケーブル等が接続されていた場合に、後日、信号分配装置２を設置してもよい。この場合には、既設のプラント設備に敷設工事等で信号分配装置２を設けて、苛酷事故時支援監視装置１ａを容易に追加することができる。
【００２３】
プラント監視装置１００では、信号受信処理部１１０２を介して、計測信号１０が分配された分配信号２０ｂが入力される。
【００２４】
入力された分配信号２０ｂは、計測信号１０と同信号であるため、分配前の計測信号１０と同様に、信号警報判定部１１０３により各計測信号１０の警報種別に応じて、警報を発生するか否かが判定される。
【００２５】
例えば、信号警報判定部１１０３は、信号警報判定情報データベース（ＤＢ）１１０４に基づき、各計測信号１０に対応する分配信号２０ｂについて警報を発生するか否かを判定する。すなわち、信号警報判定部１１０３は、分配信号２０ｂを用いて、分配前の計測信号１０と同様に判定することができる。
【００２６】
警報情報表示部１１０５は、前述した信号警報判定部１１０３の判定結果等について表示する。
【００２７】
以上説明したように、プラント監視装置１００は、信号分配装置２および苛酷事故時支援監視装置１ａを設けたことに関わらず、プラント監視処理を変わりなく実施することができる。
【００２８】
次に、図１に示す苛酷事故時支援監視装置１ａの構成について、以下に説明する。
【００２９】
苛酷事故時支援監視装置１ａは、プラント監視装置１００とは別に、例えば発電ユニット建屋とは独立した建屋（例えば緊急対策建屋等）に設置される。また、本装置は外部電源喪失のような事故時においても、稼働可能なように無停電電源装置等のバックアップ電源（代替電源に含む）が供給する設備から電力が供給される。
【００３０】
図１において、プラントの現場に設置された図示しない計測装置からの計測信号１０は、一度、信号分配装置２に入力された後に、信号入力処理部１１で工学値変換（物理量変換）され、信号分配処理部１２へ入力される。
【００３１】
信号分配処理部１２は、入力された計測信号１０を複数の装置へ分配して出力する。例えば、信号分配処理部１２は、入力された計測信号１０をプラント監視装置１００に出力すると共に、苛酷事故時支援監視装置１ａに出力する。
【００３２】
なお、計測信号１０は、信号分配装置２によってプラント監視装置１００および苛酷事故時支援監視装置１ａに分配されて送信されるだけでなく、現場計測装置から直ちに分配してプラント監視装置１００および苛酷事故時支援監視装置１ａに送信する構成としてもよい。
【００３３】
さらに、プラント監視装置１００と同じ計測対象について、苛酷事故時支援監視装置１ａのみに、計測信号１０を送信する現場計測装置を設けてもよい。
【００３４】
以上により、計測信号１０は、信号分配装置２により分配信号２０ａおよび分配信号２０ｂに分配される。そして、信号分配装置２は、分配信号２０ａを苛酷事故時支援監視装置１ａに出力し、分配信号２０ｂをプラント監視装置１００に出力する。
【００３５】
苛酷事故時支援監視装置１ａは、図１に示すように、信号受信処理部１３、安全／代替系統信号抽出情報ＤＢ（データベース）１４、系統信号抽出部１５、安全／代替系統データ保存部１６、ＳＡ（シビアアクシデント）判定処理部１７ａ、系統起動条件／スケジュール予測部１８、系統起動条件／スケジュールデータ保存部１９、および系統情報表示部１１０を備えている。
【００３６】
信号受信処理部１３は、プラント監視装置１００へ入力される計測信号１０の少なくとも一部の計測信号（図１の分配信号２０ａ）を受信する。信号受信処理部１３は、受信した入力された分配信号２０ａについてフィルタ処理、サンプリング処理などの受信処理を行う。
【００３７】
信号受信処理部１３は、前述した信号分配処理部１２と信号伝送可能に接続される。信号受信処理部１３は、例えば信号ケーブルまたはネットワーク回線等を介して、各計測値を含む分配信号２０ａを少なくとも受信する。信号ケーブルまたはネットワーク回線等とは、有線もしくは無線、または、それらの組み合せによる信号伝送方式である。また、信号伝送方式として、片方向だけでなく双方向の信号伝送であってもよい。
【００３８】
信号受信処理部１３は、受信した分配信号２０ａを系統信号抽出部１５に出力すると共に、ＳＡ（シビアアクシデント：苛酷事故）判定処理部１７ａに出力する。
【００３９】
安全／代替系統信号抽出情報データベース１４は、安全系統および代替系統ごとに、分配信号２０ａに含まれる安全／代替系統信号と、プラント設備における監視項目を含む安全／代替系統データとを関連付けて格納する。
【００４０】
安全／代替系統信号抽出情報ＤＢ１４には、安全／代替系統ごとに、プラント設備に関する安全／代替系統信号（安全／代替系統に関する信号入力）の情報が予め格納されている。プラント設備は、プラントの安全停止のための安全系統、および、安全系統が動作できない状況に備えた代替系統などである。安全／代替系統信号には、監視項目を含む安全／代替系統データが関連付けられて格納されている。
【００４１】
プラント設備に関する情報は、例えばいずれの安全系統であるか、電源、水源等のいずれの代替系統か、その代替系統に関する起動条件などを含む情報である。電源の代替系統とは、例えばバッテリ、非常用Ｄ／Ｇ（ディーゼル発電機）などの代替電源を有する電源系統である。安全／代替系統信号のうちの安全系統信号は、例えば原子炉圧力、原子炉水位などの安全系統に関する信号であり、また、代替系統信号は、例えば非常用電源Ｄ／Ｇの起動信号、高圧注水弁の開閉信号などの代替系統に関する信号である。
【００４２】
系統信号抽出部１５は、安全／代替系統信号抽出情報データベース１４を参照して、信号受信処理部１３により受信された信号入力から安全／代替系統信号を特定する。系統信号抽出部１５は、特定した安全／代替系統信号に関連付けられた安全／代替系統データを抽出する。系統信号抽出部１５は、抽出した安全／代替系統データに監視内容（計測時刻、計測データなど）をさらに含めて（付加して）安全／代替系統データ保存部１６に保存する。
【００４３】
安全／代替系統データ保存部１６は、系統信号抽出部１５により監視内容を付加された安全／代替系統データを保存する。
【００４４】
ＳＡ判定処理部１７ａは、信号受信処理部１３から計測信号を入力し、入力した計測信号のいずれかを用いて所定のロジック判定処理によりプラントについて苛酷事故を判定する。
【００４５】
ＳＡ判定処理部１７ａは、信号入力について所定の判定処理に基づいて苛酷事故の発生を判定する。ＳＡ判定処理部１７ａは、信号入力を、例えばロジック処理であるＡＮＤ処理やＯＲ処理、条件分岐処理などの組み合せにより判定処理する。
【００４６】
図３に、ＳＡ判定処理部１７ａの自動判定処理におけるロジック処理の一例を示す。
【００４７】
例えば、図３に示す条件ＡＡおよび条件ＢＢは放射線検出に関係する条件であり、特に、条件ＡＡはプラント設備が格納されている建屋外の放射線値が一定レベル以上になったか否かを判定する条件を示す。また、条件ＢＢはプラント設備が格納されている建屋内について、雰囲気モニタ値が一定レベル以上になったか否かを判定する条件を示す。さらに、条件ＣＣは炉心溶融に繋がる条件で、例えば原子炉水位および原子炉圧力に関連する計測信号を判定する条件を示している。
【００４８】
このために、ＳＡ判定処理部１７ａは、各々の条件の元となるプラント監視装置１００から対応する信号入力を、信号受信処理部１３から入力する。例えば、図３に示す条件ＡＡの入力として、プラントの建屋外の排気筒モニタＡ信号値、・・・、同じく排気筒モニタＦ信号値などである。信号受信処理部１３では、これらの信号入力を、逐次サンプリングして、ＳＡ判定処理部１７ａに出力する。
【００４９】
条件ＡＡとして、例えば排気筒モニタＡが「ＸＡ（μＳｖ／ｈ）以上」のサンプリング値が入力されると、条件ＡＡの判定出力１７０は論理値が真（例えば１の出力）となる。また、「ＸＡ（μＳｖ／ｈ）を下回る」のサンプリング値が入力されると、条件ＡＡの判定出力１７０は論理値が偽（例えば０の出力）となる。この他にも、排気筒モニタＦが「ＸＦ（μＳｖ／ｈ）以上」のサンプリング値などが入力されている。なお、μＳｖ／ｈはマイクロシーベルト／時間の単位を表す。
【００５０】
以上については、図３に示す条件ＢＢおよび条件ＣＣの入力についても同様である。
【００５１】
図３に示すような各々の条件の入力が、ＳＡ判定処理部１７ａにより判定処理される。例えば、ロジック１７１は、各条件の判定出力１７０間をＡＮＤ処理（論理積）する。さらに、その各条件でのＡＮＤ処理後の出力は、ロジック１７２によりＯＲ処理（論理和）される。さらに、ロジック１７２によるＯＲ処理後の各々の出力は、ロジック１７３によりＯＲ処理される。このロジック１７３によるＯＲ処理後の出力が、ＳＡ判定結果１７４とされて、図１に示す系統起動条件／スケジュール予測部１８に出力される。
【００５２】
図３に示すロジック判定処理では、条件ＡＡ、条件ＢＢおよび条件ＣＣの判定出力が束ねられてＯＲ処理され、そのＯＲ処理後の出力がＳＡ判定処理部１７ａの判定結果（図３に示すＳＡ判定結果１７４）として系統起動条件／スケジュール予測部１８に出力される。すなわち、図３に示すＳＡ判定結果１７４は、条件ＡＡ、条件ＢＢまたは条件ＣＣの少なくともいずれか一つが真であれば、真となる。
【００５３】
系統起動条件／スケジュール予測部１８は、ＳＡ判定処理部１７ａにより判定されたロジック判定処理の結果と、安全／代替系統データ保存部１６に保存された安全／代替系統データとに基づいて、安全系統および代替系統に関する系統起動条件およびその系統起動条件成立の有無を判断し、または、安全系統および代替系統に含まれる各々の系統が起動可能な起動時刻を予測する。
【００５４】
系統起動条件／スケジュール予測部１８は、ＳＡ判定処理部１７ａの判定結果（例えばＳＡ判定結果１７４が真である場合をＳＡ発生とする）をトリガ条件として、安全／代替系統データ保存部１６に保存されたデータに基づいて、安全系統および代替系統に関する起動条件を判定し、予測計算する。系統起動条件／スケジュール予測部１８は、安全系統および代替系統に関する起動条件を判定した結果および予測計算した結果を、系統起動条件／スケジュールデータ保存部１９に保存する。
【００５５】
図４に、系統起動条件／スケジュールデータ保存部１９に保存されるデータの構成例を示す。
【００５６】
系統起動条件／スケジュールデータ保存部１９に保存されるデータ、すなわち、各安全系統および各代替系統に対して、起動条件を判定した結果および予測計算した結果は、例えば以下に説明するような系統起動条件／スケジュールデータ１９１である。
【００５７】
図４に示すように、系統起動条件／スケジュールデータ１９１は、系統ごとに、プラント条件、系統条件および起動可能予測スケジュールを含む。各系統は、例えば、安全系統ＨＰＣＳ（High Pressure Core Spray）は原子炉圧力が高い場合に注水する系統であり、安全系統ＬＰＣＳ（Low Pressure Core Spray）は原子炉圧力が低い場合に注水する系統である。この他にも、安全系統ＲＨＲ（Residual Heat Removal System）、安全系統ＲＣＩＣ（Reactor Core Isolation Cooling System）、安全系統ＳＲ（Safety Relief）弁、代替系統ＡＦＩ（Alternate Feedwater Injection System）、代替系統リモートＳＲ弁などがある。
【００５８】
プラント条件は、例えばプラント設備によってプラント安全停止を実行させるための安全／代替系統における系統起動プラント条件、および、安全／代替系統に関する逸脱情報を含む。系統起動プラント条件は、各系統が起動可能か否かを示す。例えば、「○」の場合には系統起動が可能であり、「×」の場合には系統起動が不可であることを示す。逸脱情報は、プラント状態の各安全系統における逸脱事項を示す情報である。例えば、安全系統ＬＰＣＳには、逸脱情報として「原子炉圧力高」である逸脱事項が示されている。
【００５９】
系統条件は、例えば系統ラインナップおよび逸脱情報、系統電源、非常用電源Ｄ／Ｇ、代替系統空冷Ｄ／Ｇ、通常水源、バックアップ水源、大規模代替水源などの代替系統についての項目を含む。
【００６０】
系統ラインナップは、各系統について通常系統または代替系統が準備できているかを示す。逸脱情報は、通常系統および代替系統における逸脱事項を示す情報である。例えば、代替系統ＡＦＩには、逸脱情報として「給水ライン未接続」である逸脱事項が示されているため、系統ラインナップとして「×」（準備ができないない）が格納されている。なお、系統ラインナップとして「○」が格納されている場合には準備ができていることを示す。
【００６１】
ＳＡ判定処理部１７ａは、前述したように、プラントにおける苛酷事故の発生を判定する。この判定によりＳＡ発生（ＳＡ判定結果１７４の論理が真である場合）と判定された場合、系統起動条件／スケジュール予測部１８が、安全/代替系統データ保存部１６から関連データを抽出し、各安全系統の起動条件を判定する。
【００６２】
図４に示す系統起動条件／スケジュールデータ１９１では、例えば安全系統ＨＰＣＳの場合、圧力判定とその他のプラント条件の判定により起動条件が成立するときに、系統起動条件／スケジュール予測部１８により系統起動プラント条件として○（成立）と判定される。また、注水が可能な系統状態かどうかは各弁やポンプの状態により、系統ラインナップが判定される。非常用電源Ｄ／Ｇなどの電源の代替系統や、バックアップ水源などの水源の代替系統についても同様である。なお、系統起動条件／スケジュール予測部１８は、これらを総合的に判定し、安全系統ＨＰＣＳについて起動条件成立と判定している。
【００６３】
一方、安全系統ＬＰＣＳの場合、プラント条件より原子炉圧力が規定値以上であるときに、プラント条件が逸脱すると判断される。系統起動条件／スケジュール予測部１８が、例えば安全系統ＬＰＣＳに関するプラント条件の逸脱情報と系統条件の逸脱情報についてプラント条件が逸脱すると判定した場合に、今後の状態推移を予測計算し、起動可能予測スケジュール結果（８：３０）として前述した情報を含めて（図４に示す情報）、系統起動条件／スケジュールデータ保存部１９へ保存する。
【００６４】
以上説明したように、図４の起動可能予測スケジュールでは、系統ごとに、起動条件が成立した系統については「起動条件成立」とされ、また、起動条件が成立しない系統については例えば「８：３０」のように起動条件が成立するとされる予測時刻が格納される。
【００６５】
系統情報表示部１１０は、系統起動条件／スケジュール予測部１８により判断した系統起動条件およびその系統起動条件成立の有無または予測した起動時刻と、前記安全／代替系統データとを体系立てて表示する。
【００６６】
系統情報表示部１１０は、安全／代替系統データ保存部１６および系統起動条件／スケジュールデータ保存部１９に保存されたデータに基づいて、安全系統および代替系統に関する安全／代替系統データを、運転員が容易に認識可能なように体系立てて表示する。なお、安全／代替系統データの他にも、系統起動条件／スケジュールデータ１９１についても体系立てて表示される。緊急対策建屋等内の運転員は、安全／代替系統データに基づき、発電ユニット内の運転員にプラント停止等の実操作に係る指示を出すことができる。さらに、上記安全／代替系統データを当該発電ユニット内の中央操作室に送信・表示させてもよい。
【００６７】
これにより、例えば安全系統および代替系統についての総合的な起動条件の成立状態、逸脱事項および信号変化、予測に基づいた起動可能予測スケジュールなどを含む支援情報を運転員に提供することができる。
【００６８】
次に、図５を参照しながら、苛酷事故時支援監視装置１ａに用いられる苛酷事故時支援監視処理フローを説明する。
【００６９】
苛酷事故時支援監視処理フローは、例えば苛酷事故時支援監視装置１ａのパワーオン後、以下のステップＳ１の処理が開始される。
【００７０】
信号受信処理部１３が、プラント監視装置１００へ入力される計測信号の少なくとも一部の計測信号である分配信号２０ａを受信する（ステップＳ１）。
【００７１】
系統信号抽出部１５が、安全／代替系統信号抽出情報データベース１４を参照して、分配信号２０ａから安全／代替系統信号を特定し、特定した安全／代替系統信号に関連付けられた安全／代替系統データを抽出する（ステップＳ２）。
【００７２】
さらに、系統信号抽出部１５は、抽出した安全／代替系統データに監視項目に対応する計測データを付加する。系統信号抽出部１５が、計測データを付加した安全／代替系統データを安全／代替系統データ保存部１６に保存する（ステップＳ３）。
【００７３】
ＳＡ判定処理部１７ａが、入力した計測信号のいずれかを用いて所定のロジック判定処理によりプラントについて苛酷事故を判定する（ステップＳ４）。
【００７４】
系統起動条件／スケジュール予測部１８が、ＳＡ判定処理部１７ａにより判定されたＳＡ判定結果１７４と、安全／代替系統データ保存部１６に保存された安全／代替系統データとに基づいて、安全系統および代替系統に関する系統起動条件およびその系統起動条件成立の有無を判断し、または、安全系統および代替系統に含まれる各々の系統が起動可能な起動時刻を予測する（ステップＳ５）。また、系統起動条件／スケジュール予測部１８は、これらの判断および予測の結果を系統起動条件／スケジュールデータ保存部１９に保存する。
【００７５】
系統情報表示部１１０が、系統起動条件／スケジュールデータ保存部１９に保存された系統起動条件およびその系統起動条件成立の有無または起動時刻と、安全／代替系統データとを体系立てて表示する（ステップＳ６）。ステップＳ６の後、処理をステップＳ１に移し、ステップＳ１以降の処理を同様に繰り返す。
【００７６】
以上説明したように、通常のプラント監視装置と異なる信号分配入力ルートから計測信号を入力し、プラントの運転に影響を及ぼす苛酷事故の発生の有無を判定し、苛酷事故が発生したと判定した場合に、プラントを安全に停止させることができるように、安全系統および代替系統に対する起動要否について、プラント条件、系統起動条件、電源および水源の代替系統等を多角的、かつ、総合的に判断することができるように支援する。
【００７７】
それと共に、安全系統および代替系統に対する起動条件の逸脱事項に対して関連する信号推移を予測し、系統起動可能なスケジュールを予測して運転員に提供することで、苛酷事故発生時の復旧作業に必要な情報を迅速、かつ、体系的に運転員に提供し、事故拡大の抑制に寄与するように支援することができる。
【００７８】
第１の実施形態によれば、プラントにおける苛酷事故の発生を監視し、監視結果に基づいて支援情報を提示することができる。
【００７９】
［第２の実施形態］
図６は、本発明に係る苛酷事故時支援監視装置の第２の実施形態の構成を示すブロック図である。また、図７は図６の監視／信号優先度データベースの構成の一例を示す図であり、図８は図６の復旧ガイダンス表示部における復旧ガイダンス画面表示例を示す図である。
【００８０】
図６に示す苛酷事故時支援監視装置１ｂは、図１に示す苛酷事故時支援監視装置１ａの構成に加え、監視／信号優先度判定記録部２１、監視／信号優先度データベース２２、監視／信号優先度データ保存部２３、および復旧ガイダンス表示部２４を備えている。
【００８１】
監視／信号優先度データベース２２には、プラント安全健全性および系統健全性の監視優先度階層に分類されて当該監視優先度階層ごとに監視対象の監視優先度が格納される。また、監視／信号優先度データベース２２には、当該監視優先度階層ごとに監視対象の計測信号が関連付けられて信号優先度が格納される。
【００８２】
監視／信号優先度データベース２２には、監視優先度階層に関する情報（サマリ信号情報）が予め登録される。監視／信号優先度データベース２２では、図７に示すように、監視優先度階層が例えばプラント安全健全性および系統健全性に分類され、そこに分類される計測信号ごとに監視優先度および信号優先度が定められている。
【００８３】
プラント安全健全性には、例えば止める、冷やす、閉じ込めるなどの項目、いわゆる安全３原則に関連する計測信号が分類される。また、系統健全性には、例えば電源確保、高圧注水、減圧、低圧注水などの通常系統および代替系統に関する計測信号が分類される。
【００８４】
監視優先度階層には、プラント安全健全性および系統健全性ごとに、監視を優先させるべき順位である監視優先度が予め登録される。さらに、苛酷事故の進展状況に応じて記録や警報に関する信号の優先させるべき順位である信号優先度が予め登録される。進展状況（進展ステージ）は、例えば苛酷事故発生直後のプラント復旧対応中である場合や、プラント復旧後の場合などである。
【００８５】
図７に、監視／信号優先度データベース２２の構成の一例を示す。
【００８６】
監視優先度階層には、監視項目について優先順位の指標となる監視優先度（図７に示す監視優先度フラグ）が各々の階層ごとに格納されている。例えば、監視優先度フラグ＝１の場合には最も監視優先度の高い監視項目であり、監視優先度フラグ＝２の場合には２番目の順位の監視優先度の監視項目等である。
【００８７】
また、各サマリ信号情報についても信号入力について優先順位の指標となる信号優先度（図７に示す信号優先度フラグ）が格納されている。ＳＡ判定処理部１７ｂのＳＡ判定結果１７４（図３）に応じて、信号優先度フラグに基づき、監視／信号優先度データ保存部２３へ記録する信号入力に関するデータの優先度が決定される。
【００８８】
監視／信号優先度データベース２２は、例えば図７に示すように、「プラント安全健全性」および「系統健全性」を上位階層としている。また、例えば「プラント安全健全性」に属する中位階層は「止める」、「冷やす」および「閉じ込める」などの原子力プラントの安全停止に関する３原則の監視項目に区分され、「系統健全性」に属する中位階層は「電源確保」、「高圧注水」、「減圧」および「低圧注水」などのそれらの手段に関する監視項目に区分されている。
【００８９】
これらの中位階層の監視項目ごとに、監視優先度が予め定められ、格納されている。例えば、図７に示すように、「プラント安全健全性」に属する「止める」の監視項目には監視優先度が最も高い（１番目の順位）とされる監視優先度フラグ＝１が格納され、同様に「冷やす」および「閉じ込める」の監視項目にも監視優先度フラグ＝１が格納されている。
【００９０】
また、「系統健全性」に属する「電源確保」の監視項目には監視優先度が２番目に高い（２番目の順位）とされる監視優先度フラグ＝２が格納され、「高圧注水」および「減圧」の監視項目には監視優先度が３番目の順位とされる監視優先度フラグ＝３が格納され、「低圧注水」の監視項目には監視優先度が４番目の順位とされる監視優先度フラグ＝４が格納されている。
【００９１】
その中位階層の各々の監視項目には、さらに、信号優先度フラグごとに、サマリ信号情報が格納されている。例えば図７に示すように、「プラント安全健全性」に属する中位階層「止める」の監視項目には、信号優先度フラグ＝１に対応して「スクラム状態」、信号優先度フラグ＝２に対応して「原子炉圧力」、・・・、信号優先度フラグ＝Ｎ（例えばＮは５以上の整数）に対応して「蒸気流量」等が格納されている。その他の中位階層の監視項目についても、図７に示すように、信号優先度フラグに対応してサマリ信号情報が格納されている。
【００９２】
監視／信号優先度判定記録部２１は、ＳＡ判定処理部１７ｂにより苛酷事故と判定された際に、ロジック判定処理に用いられた計測信号について監視／信号優先度データベース２２に格納された監視優先度および信号優先度に基づいた優先順位に従って監視対象の計測信号に関する監視内容を記録する。
【００９３】
監視／信号優先度データ保存部２３は、監視／信号優先度判定記録部２１により記録された監視対象の計測信号に関する監視内容を保存する。
【００９４】
復旧ガイダンス表示部２４は、苛酷事故と判定された際に、苛酷事故からプラントを復旧させるための情報を含む復旧ガイダンスを表示する。
【００９５】
監視／信号優先度判定記録部２１は、ＳＡ判定処理部１７ｂから判定結果（例えば図３に示すＳＡ判定結果１７４と各条件の成立状態など）を入力する。また、監視／信号優先度判定記録部２１は、判定結果に基づいて、プラントの現在の苛酷事故の進展状況を判断する。
【００９６】
例えば図３に示すＳＡ判定結果１７４が真の場合には、プラント復旧対応中の進展ステージである。その進展ステージについて、さらに、条件ＡＡ〜ＣＣがいずれも真である場合、監視／信号優先度判定記録部２１が、苛酷事故の進展状況は深刻なステージであると判定してもよい。また、監視／信号優先度判定記録部２１が、それらの条件ＡＡ〜ＣＣの中のいくつかの条件が真である場合などは中位の進展ステージなどとして判定する。また、ＳＡ判定結果１７４が真から偽に変わった直後については、プラント復旧直後のステージと判定される。
【００９７】
監視／信号優先度判定記録部２１は、プラントの苛酷事故のいずれかの進展ステージにある場合に、監視／信号優先度データベース２２を参照し、現在の苛酷事故のプラント状況について監視が優先される信号入力についてのサマリ信号情報を参照する。このときに、監視／信号優先度判定記録部２１は、判定結果と信号入力情報とに基づいて、現在の苛酷事故に最も近い条件のサマリ信号情報を、監視／信号優先度データベース２２から検索する。監視／信号優先度判定記録部２１は、検索した結果に基づき、現在の苛酷事故に最も近い条件のサマリ信号情報に関するデータをその信号優先度に応じて監視／信号優先度データ保存部２３へ記録する。
【００９８】
具体的には、図３に示すＳＡ判定結果１７４が真である場合に、監視／信号優先度判定記録部２１は、ＳＡ判定処理部１７ｂを介して信号受信処理部１３から出力された信号入力について、信号優先度が高いものからデータを記録する。すなわち、ＳＡ判定結果１７４が真であることをトリガ条件として、監視／信号優先度判定記録部２１は、信号入力情報を監視／信号優先度データ保存部２３へ記録する。一方、ＳＡ判定結果１７４が偽である場合に、監視／信号優先度判定記録部２１は、信号入力情報を監視／信号優先度データ保存部２３へ記録しない。
【００９９】
なお、ＳＡ判定ロジックのうちの判定の組み合わせの一部が真であることをトリガ条件（苛酷事故に至る直前の進展ステージ）として、監視／信号優先度データ保存部２３へデータを記録してもよい。この場合には、例えば監視／信号優先度データ保存部２３へ記録されるデータは、苛酷事故に至る直前のプラント状況から現在の苛酷事故発生後のプラント状態に関する苛酷事故の進展状況についてデータを記録することができる。これにより、苛酷事故発生前後での監視項目について監視内容の変化を容易に把握することができる。
【０１００】
図８に、復旧ガイダンス画面の一例を示す。
【０１０１】
復旧ガイダンス表示部２４は、監視／信号優先度データ保存部２３に記録されたデータに基づいて、運転員に対して優先度に応じて画面表示（復旧ガイダンス画面２４０）する。具体的には、復旧ガイダンス表示部２４は、例えば図８に示すように、逸脱事項に対しては事故復旧の観点で復旧ガイダンスをガイダンスデータ２４１〜２４１２、２４２１および２４２２等のように事故復旧に必要な支援情報を体系立て、復旧ガイダンス画面２４０に表示して提供する。
【０１０２】
図８の復旧ガイダンス画面２４０に、ガイダンスデータ２４２１として「監視優先度１」（図７の監視優先度フラグ＝１に相当）および「プラント安全健全性確認」が表示されている。さらに、ガイダンスデータ２４２２として「信号優先度Ｎ」と、「冷やす」および「復水貯蔵槽水位低」が四角枠で囲まれて表示されている。すなわち、プラント安全健全性の監視項目「冷やす」ことに関し、図７のサマリ信号情報の対象である「復水貯蔵槽水位」（図７の信号優先度フラグ＝Ｎに対応）について、事故復旧の復旧ガイダンスがガイダンスデータ２４１〜２４１２のように、監視項目と監視内容とが体系的に表示される。
【０１０３】
例えば、ガイダンスデータ２４１では、「現在状態の確認  ．．．  ＸＸ．Ｘｍ」のように、監視対象であるプラント安全健全性について、監視項目である復水貯蔵槽水位の現在の計測データを含む監視内容が表示されている。例えば、図８に示す矢印に沿ってガイダンスデータ２４２が表示され、「電動弁状態の確認  ．．．  開」のように復水貯蔵槽の電動弁に関しての現在の状態が示されている。以降、同様に矢印等に沿って、ガイダンスデータ２４３〜２４１２のように、復水貯蔵槽水位に関連するプラント状態が、運転員に容易に判断し易いように体系的に表示される。
【０１０４】
また、現在の苛酷事故の進展状況がどのような監視状態であるかを、明確に示すために、例えばガイダンスデータ２４１〜２４１２の流れを色分け表示等して、フローのどの状態に現在の状態があるかを容易に認識可能なように表示してもよい。なお、図８に示す「（１／５）」、「（２／５）」等は、現画面または（次の遷移先の画面ページ／対象画面）の総数を示す。
【０１０５】
プラントの苛酷事故の発生時において、プラントの通常運転時には発生し得ない異常兆候が見られる。図６に示す苛酷事故時支援監視装置１ｂは、プラント監視装置１００に入力される信号入力から、現在の苛酷事故の進展状況により監視が優先される監視項目および監視内容を体系立てて運転員に提供することができる。それと共に、苛酷事故の発生後においては、逸脱事項に対して復旧処置に関する支援情報を提供することができる。
【０１０６】
第２の実施形態によれば、プラント状態の監視項目に関する監視／信号優先度データベースを有し、例えば原子炉プラントの安全３原則（止める、冷やす、閉じ込める）に関連した監視項目等を高い優先度に設定した監視／信号優先度データベースに基づき、苛酷事故の進展状況に応じて優先度を判定する。さらに、その優先度に応じてそれらの監視項目に関する情報を記録することができる。さらに、その記録を元にして、逸脱事項に対しては事故復旧の観点での復旧ガイダンスについて支援情報と共に、事故復旧に必要な情報を迅速に提供することができる。
【０１０７】
これにより、運転員は、苛酷事故発生時の混乱するような場合においても、信号優先度に応じて選別された必要な支援情報により短時間でかつ効果的な状況把握と復旧対応が可能となる。
【０１０８】
［第３の実施形態］
図９は、本発明に係る苛酷事故時支援監視装置の第３の実施形態の構成を示すブロック図である。
【０１０９】
図９に示す苛酷事故時支援監視装置１ｃは、図１に示す苛酷事故時支援監視装置１ａの構成に加え、ＳＡ警報判定値記憶部３１ａ、ＳＡ警報判定値設定部３１ｂ、経過時間データ記録部３２、ＳＡ警報判定値切替部３３、警報判定処理部３４ｃ、および警報状態表示部３５を備えている。
【０１１０】
以下、図９に示す苛酷事故時支援監視装置１ｃの構成について、図１に示す苛酷事故時支援監視装置１ａと異なる部分を主に説明する。
【０１１１】
図９に示すＳＡ判定処理部１７ｃは、図１に示すＳＡ判定処理部１７ａの処理機能に加えて、苛酷事故の進展状況を判定する。さらに、ＳＡ判定処理部１７ｃは、例えばＳＡ発生（例えば図３のＳＡ判定結果１７４が真）をトリガ条件として、進展ステージおよびその経過時間を経過時間データ記録部３２に記録する処理機能を有する。
【０１１２】
ＳＡ判定処理部１７ｃは、例えばＳＡ発生時点の時刻を基準時間として、経過時間（または時刻）を経過時間データ記録部３２に記録する。これにより、経過時間データ記録部３２には、逐次、苛酷事故の進展ステージおよび経過時間が記録される。
【０１１３】
ＳＡ警報判定値記憶部３１ａは、ロジック判定処理に用いる計測信号ごとに苛酷事故の進展ステージに対応したＳＡ警報判定値を少なくとも記憶する。
【０１１４】
ＳＡ警報判定値記憶部３１ａには、監視対象となる信号入力（監視項目）ごとに苛酷事故の進展ステージに対応した複数のＳＡ警報判定値が格納されている。ＳＡ警報判定値記憶部３１ａには、各信号入力に対応する監視項目に対してＳＡ警報判定値が予め格納されている。
【０１１５】
ＳＡ警報判定値切替部３３は、苛酷事故の進展ステージに応じて、ロジック判定処理に用いる計測信号についてのＳＡ警報判定値を切り替える。
【０１１６】
このために、ＳＡ警報判定値切替部３３は、ＳＡ判定処理部１７ｃから判定結果を入力する。さらに、ＳＡ警報判定値切替部３３は、この判定結果と、経過時間データ記録部３２に記録された進展ステージおよびその経過時間とに応じて、ＳＡ警報判定値記憶部３１ａに格納されたＳＡ警報判定値のうちから現在の苛酷事故の進展ステージに対して設定すべきＳＡ警報判定値を決定する。
【０１１７】
ＳＡ警報判定値切替部３３は、決定したＳＡ警報判定値をＳＡ警報判定値設定部３１ｂに格納する。これにより、ＳＡ警報判定値切替部３３は、現在の苛酷事故の進展ステージに応じた警報判定値に切り替えることができる。
【０１１８】
ＳＡ警報判定値設定部３１ｂは、ＳＡ警報判定値切替部３３により切り替えられた計測信号についてのＳＡ警報判定値を現ＳＡ警報判定値として設定する。
【０１１９】
警報判定処理部３４ｃは、ＳＡ警報判定値設定部３１ｂに設定された現ＳＡ警報判定値を用いて、ロジック判定処理に用いる計測信号について現ＳＡ警報判定値を逸脱する入力があった否かを判定する警報判定を行う。
【０１２０】
警報判定処理部３４ｃは、信号受信処理部１３から入力する信号入力と、ＳＡ警報判定値設定部３１ｂに格納されたＳＡ警報判定値（現ＳＡ警報判定値とする）とを比較して、プラント状態を監視する。警報判定処理部３４ｃは、監視対象となる信号入力ごとに現ＳＡ警報判定値を逸脱する入力があった場合に、警報判定の結果（ＳＡ警報）を警報状態表示部３５に通知する。一方、現ＳＡ警報判定値を逸脱する入力がなかった場合に、警報判定の結果を正常と通知する。これにより、警報判定処理部３４ｃは、苛酷事故の進展状況に応じたＳＡ警報を通知することができる。
【０１２１】
なお、現ＳＡ警報判定値を逸脱する入力とは、現ＳＡ警報判定値を基準として、例えば図７のサマリ信号情報として原子炉圧力に対して上限値が定められる場合に、圧力が上限値を超えるときに現ＳＡ警報判定値を逸脱すると判定される。また、現ＳＡ警報判定値を基準として、例えばサマリ信号情報として代替水源水位に対して下限値が定められる場合に、水位が下限値を下回るときに現ＳＡ警報判定値を逸脱すると判定されるなどである。
【０１２２】
警報状態表示部３５は、ロジック判定処理に用いる計測信号ごとに警報判定処理部３４ｃによる警報判定の結果を表示する。警報判定の結果は、現ＳＡ警報判定値を逸脱する信号入力があった場合にＳＡ警報とされ、現ＳＡ警報判定値を逸脱する信号入力がなかった場合に正常とされる。
【０１２３】
警報状態表示部３５は、現ＳＡ警報判定値を逸脱した警報状態の信号入力に関する情報を表示装置等の出力装置を用いて、運転員がＳＡ警報であることを認識可能なように通知する。これにより、運転員は、苛酷事故の進展状況に応じたＳＡ警報を認識することができる。
【０１２４】
以上説明したように、第３の実施形態によれば、苛酷事故の進展状況に応じて、警報判定値を切り替えて、多量の警報発生を抑止することができる。すなわち、苛酷事故の進展状況と経過時間に対応したＳＡ警報判定値により警報が絞られ、進展状況に応じた逸脱事項や対応を優先する警報に関する支援情報を提供することができる。これにより、運転員は、重要な逸脱事項の復旧操作や復旧処置に迅速に対応することが可能となる。
【０１２５】
また、苛酷事故発生直後の復旧対応時や復旧後のプラントの安全停止状態を監視する復旧観点においても、対応／対策が有効に機能しているか否かの確認を行うことができる。これにより、運転員が復旧対策の効果を判断することができ、例えば復旧対策の効果が小さい場合には、運転員が次の復旧対策手段を迅速に判断し、計画・実行することができる。
【０１２６】
［第４の実施形態］
図１０は、本発明に係る苛酷事故時支援監視装置の第４の実施形態の構成を示すブロック図である。図１１は、第４の実施形態の復旧履歴データ参照の画面表示例を示す図である。
【０１２７】
苛酷事故時支援監視装置１ｄは、図１０に示すように、図９に示す苛酷事故時支援監視装置１ｃの構成に加えまた一部を換えて、信号入力履歴記憶部４１、安全／代替系統状態履歴記憶部４２、警報復帰状態学習部４３、警報復帰時安全／代替系統状態保存部４４、および復旧情報表示部４５を備えている。以下、図１０に示す苛酷事故時支援監視装置１ｄの構成について、図９に示す苛酷事故時支援監視装置１ｃと異なる機能を主に説明する。なお、ＳＡ判定処理部１７ｄは、図９に示すＳＡ判定処理部１７ｃと同一の機能を有する。
【０１２８】
警報判定処理部３４ｄは、信号入力ごとにＳＡ警報を判定し、また、ＳＡ警報状態から正常状態への復帰を検出する。
【０１２９】
警報判定処理部３４ｄは、信号受信処理部１３から入力する信号入力に関する履歴を信号入力履歴記憶部４１に保存する。
【０１３０】
信号入力履歴記憶部４１は、計測信号ごとのＳＡ警報状態から正常状態までの期間における信号の履歴を記憶する。
【０１３１】
警報判定処理部３４ｄは、安全／代替系統データ保存部１６に保存された安全／代替系統データを参照し、安全／代替系統の稼働状態について履歴を取る。警報判定処理部３４ｄは、この履歴を安全／代替系統状態履歴記憶部４２に保存する。
【０１３２】
安全／代替系統状態履歴記憶部４２は、プラントについて苛酷事故と判定された時から苛酷事故から復旧と判定されるまでの期間における安全／代替系統データを記憶する。
【０１３３】
これらの信号入力および安全／代替系統の稼働状態に関する履歴は、例えば信号の計測日時、稼働状態の変化を含む時間および状態変化を特定可能な情報として記憶される。
【０１３４】
警報判定処理部３４ｄは、信号入力とＳＡ警報判定値設定部３１ｂに設定された現ＳＡ警報判定値とを逐次比較する。監視する信号入力が現ＳＡ警報判定値から逸脱した時（ＳＡ警報状態）、および、その信号入力がＳＡ警報状態から正常状態へ復帰した時（ＳＡ警報が解除された時）に、警報判定処理部３４ｄは、警報復帰状態学習部４３にその旨を通知する。
【０１３５】
警報復帰状態学習部４３は、ＳＡ警報が発生した場合に、警報復帰時安全／代替系統状態保存部４４から過去の苛酷事故から復旧と判定されるまでの復旧期間における安全／代替系統データを抽出する。
【０１３６】
また、警報復帰状態学習部４３は、現在の苛酷事故から復旧と判定された後、プラントについて苛酷事故と判定された時から苛酷事故から復旧と判定されるまでの復旧期間における安全／代替系統データを警報復帰時安全／代替系統状態保存部４４に保存する。
【０１３７】
具体的には、警報復帰状態学習部４３は、警報判定処理部３４ｄからＳＡ警報状態に変化した信号入力に関する通知を受けた場合に、該当信号入力のＳＡ警報が解除された時の安全／代替系統の稼働状態および信号変化対象点の履歴を、信号入力履歴記憶部４１および安全／代替系統状態履歴記憶部４２から検索する。
【０１３８】
検索終了後に、警報復帰状態学習部４３は、ＳＡ警報のような警報状態にある監視項目について、該当信号入力のＳＡ警報が解除された時の安全／代替系統の稼働状態および信号変化対象点の履歴を安全／代替系統状態履歴記憶部４２から取得する。警報復帰状態学習部４３は、取得したこれらの情報を警報復帰時安全／代替系統状態保存部４４に保存する。これと共に、警報復帰状態学習部４３は、取得した情報を復旧情報表示部４５に出力する。
【０１３９】
また、警報復帰状態学習部４３は、信号入力についてＳＡ警報状態からＳＡ警報が解除された状態への復帰の通知を警報判定処理部３４ｄから受ける。警報復帰状態学習部４３は、信号入力のＳＡ警報が解除された場合、この正常状態に復帰するまでの期間の履歴として当該信号入力および安全／代替系統の稼働状態に関する情報を警報復帰時安全／代替系統状態保存部４４に保存する。これと共に、警報復帰状態学習部４３は、これらの情報を復旧情報表示部４５に出力する。
【０１４０】
警報復帰時安全／代替系統状態保存部４４は、過去の苛酷事故から復旧と判定されるまでの復旧期間における安全／代替系統データを保存する。
【０１４１】
復旧情報表示部４５は、警報復帰状態学習部４３により抽出された安全／代替系統データを表示する。
【０１４２】
復旧情報表示部４５は、現ＳＡ警報判定値を逸脱する信号入力に関するＳＡ警報と過去のプラント復旧時の安全／代替系統の稼働状態に関する履歴を運転員に通知することができる。これにより、ＳＡ警報状態にあるプラントを苛酷事故から復旧支援するために、いずれの信号入力がＳＡ警報から解除された状態であれば、安全／代替系統の稼働状態がプラント復旧時に至るかの判断を支援することができる。
【０１４３】
図１１に、復旧履歴データ参照の画面例を示す。
【０１４４】
復旧情報表示部４５は、警報復帰状態学習部４３から通知されるＳＡ警報状態にある信号入力に関する情報と共に、過去の復旧時における該当信号入力がＳＡ警報から解除された状態に復帰した場合の安全／代替系統の稼働状態に関する情報を表示する。
【０１４５】
復旧情報表示部４５は、図１１に示すように、復旧履歴データ表示画面４５０に、監視優先度および信号優先度に応じて、信号入力に関する情報を体系的に表示する。
【０１４６】
例えば、前述した図７に示す監視／信号優先度データベース２２における監視優先度フラグ＝１である「プラント安全健全性」が、図１１の復旧履歴データ表示画面４５０のガイダンスデータ４５２１に示されている。また、監視／信号優先度データベース２２における「冷やす」監視項目のうちの信号優先度フラグ＝Ｎである「復水貯蔵槽水位」が、図１１の復旧履歴データ表示画面４５０のガイダンスデータ４５２２に示されている。
【０１４７】
復旧履歴データ表示画面４５０には、この他にも、例えば入力信号が複数の警報状態からそれらのいくつかまたはすべての警報解除になった場合に、プラントが苛酷事故から復旧した状態か否か、あるいは、プラントが苛酷事故から復旧するための復旧処置（操作なども含む）などの判断を支援するための画面表示がされる。
【０１４８】
例えば、図１１の復旧履歴データ表示画面４５０には、復水貯蔵槽水位について、現在状態の確認（ガイダンスデータ４５１）、電動弁状態の確認（ガイダンスデータ４５２）、手動弁状態の確認（ガイダンスデータ４５３）、系統起動状態の確認（ガイダンスデータ４５４〜４５１２）などの信号入力の状態が表示されている。また、これらの信号入力の状態から復水貯蔵槽水位低である警報状態であることが容易に確認できるように体系立てて表示されている。
【０１４９】
さらに、復旧履歴データ表示画面４５０の画面上部に設けられた復旧履歴データ参照ボタン４５０１が押下された場合に、復旧情報表示部４５は、過去の該当信号入力がＳＡ警報から解除された状態に復帰した時の安全／代替系統の稼働状態を、画面表示する。これにより、運転員は、復旧履歴データを容易に参照することができる。
【０１５０】
第４の実施形態によれば、苛酷事故発生後のプラント安全停止状態を監視し、安全／代替系統の設備によるプラント安全停止を継続して実行させるために、監視する信号入力がＳＡ警報判定値を逸脱した警報状態に変化した場合に、信号入力がＳＡ警報から解除された状態に復帰した時の過去の安全／代替系統の稼働状態に関する支援情報を運転員に提供することができる。
【０１５１】
これにより、過去の復旧した時のプラント状態の履歴と、現在のプラント状態を比較することができるため、ＳＡ警報発生時の安全／代替系統の稼働状態と過去に復旧した時の安全／代替系統の稼働状態との比較により、復旧処置についての運転員の判断を迅速かつ効率的に支援することができる。
【０１５２】
［第５の実施形態］
図１２は、本発明に係る苛酷事故時支援監視装置の第５の実施形態の構成および苛酷事故時支援監視システムならびにプラント監視システムの実施形態の構成を示すブロック図である。
【０１５３】
プラント監視システム８ｅは、図１２に示すように、前述したようなプラント監視装置１００および信号分配装置２と、苛酷事故時支援監視システム７ｅとを備えている。また、苛酷事故時支援監視システム７ｅは、苛酷事故時支援監視装置１ｅと、スクリーン切替装置３と、中操表示スクリーン４と、ＡＮＮ（アナンシェータ）盤５とを備えている。また、苛酷事故時支援監視システム７ｅは、外部システム６に信号伝送可能なように接続されている。
【０１５４】
なお、プラント監視システム８ｅにおけるプラント監視装置１００および信号分配装置２の機能は前述した通りであり、ここでは、苛酷事故時支援監視システム７ｅの構成およびその機能について主に説明する。
【０１５５】
苛酷事故時支援監視装置１ｅは、図１２に示すように、図９に示す苛酷事故時支援監視装置１ｃの構成に加えまた一部を換えて、ＳＡ判定処理部１７ｅ、ＳＡ警報判定値設定部３１ｅ、警報判定値切替要求処理部５６、ＳＡ警報判定値送信部５７、およびＳＡ専用ＡＮＮ情報処理部５８を備えている。以下、図１２に示す苛酷事故時支援監視装置１ｅの構成について、図９に示す苛酷事故時支援監視装置１ｃと異なる部分を主に説明する。
【０１５６】
なお、図１２に示す他処理部５９は、例えば、図９に示す苛酷事故時支援監視装置１ｃの構成の信号受信処理部１３、安全／代替系統信号抽出情報ＤＢ１４、系統信号抽出部１５、安全／代替系統データ保存部１６、系統起動条件／スケジュール予測部１８、系統起動条件／スケジュールデータ保存部１９、および系統情報表示部１１０、ＳＡ警報判定値記憶部３１ａ、経過時間データ記録部３２、ＳＡ警報判定値切替部３３、警報判定処理部３４ｃおよび警報状態表示部３５を含む。図１２に示す他処理部５９では、これらの構成については図示省略する。また、他処理部５９とＳＡ判定処理部１７ｅとの間における処理も、前述した図９に示す苛酷事故時支援監視装置１ｃと同様であるため、その詳細な説明についても省くものとする。
【０１５７】
図１２に示す苛酷事故時支援監視装置１ｅは、他の接続装置（例えば中操表示スクリーン４、ＡＮＮ盤５、外部システム６）との連携が可能な以下の機能を有する。
【０１５８】
はじめに、他の接続装置として、ＡＮＮ盤５の構成について説明する。
【０１５９】
ＡＮＮ盤５は、プラントを監視するプラント監視装置や、他の警報装置などから出力される複数の警報を取り込んで処理する警報盤である。警報は、例えばＡＮＮ盤５に設けられたＡＮＮ（アナンシェータ）窓に表示されて、運転員が警報の状態や警報への対応を把握できるようにされる。
【０１６０】
また、ＡＮＮ盤５は、プラントの通常運転時に基づいた通常警報判定値から苛酷事故専用のＳＡ警報判定値への切り替え、または、その逆の切り替えに対応する警報判定値に基づいて、警報の発生または解除を行う機能を有している。
【０１６１】
このために、ＡＮＮ盤５は、図１２に示すように、警報判定値切替部５１、ＳＡ警報判定値受信部５２、ＡＮＮ判定値記憶部５３、ＡＮＮ判定処理部５４、およびＡＮＮ通報処理部５５を備えている。
【０１６２】
警報判定値切替部５１は、プラントに関する警報に対して設定する警報判定値を、ＡＮＮ盤５からの警報判定値を切り替える要求（警報判定値切替要求信号）に応じて、苛酷事故の進展ステージに応じた現ＳＡ警報判定値と苛酷事故に至る前の通常のプラントに応じた通常警報判定値とのいずれかに切り替え可能である。
【０１６３】
警報判定値切替部５１は、プラントの通常運転時に基づいた警報判定値から苛酷事故専用のＳＡ警報判定値への切り替えを行うために、苛酷事故時支援監視装置１ｅへ判定値切替要求信号を送信する。警報判定値切替部５１から送信された警報判定値切替要求信号は、苛酷事故時支援監視装置１ｅの警報判定値切替要求処理部５６で入力処理される。
【０１６４】
警報判定値切替部５１は、例えばＡＮＮ盤５における所定の警報に関する警報数が多量に発生した場合に、苛酷事故専用のＳＡ警報判定値へ切り替えを行うと判断し、または、運転員による手動操作を受け付けて、警報判定値切替要求信号を生成する。
【０１６５】
警報判定値切替要求処理部５６は、プラントに関する警報に対して設定する警報判定値を、さらにＡＮＮ盤５からの警報判定値を切り替える要求に応じて、ＳＡ警報判定値切替部３３（例えば図９）にＳＡ警報判定値の切替許可を与える。
【０１６６】
警報判定値切替要求処理部５６がＳＡ警報判定値の切替許可を受けた場合に、ＳＡ警報判定値切替部３３がＳＡ警報判定値を切り替え、ＳＡ警報判定値送信部５７が現ＳＡ警報判定値をＡＮＮ盤５に送信する。
【０１６７】
警報判定値切替要求処理部５６により入力された警報判定値切替要求信号が、ＳＡ判定処理部１７ｅへ入力される。
【０１６８】
ＳＡ判定処理部１７ｅは、ＳＡ警報判定ごとのロジック処理（ＡＮＤ処理やＯＲ処理、条件分岐処理などの組み合せ処理）によりＳＡ判定結果１７４（例えば図３）を出力（判定）する。
【０１６９】
さらに、ＳＡ判定処理部１７ｅは、この判定処理したＳＡ判定結果１７４および警報判定値切替要求信号に基づいて、警報判定値切替許可信号を生成する。具体的には、ＳＡ判定処理部１７ｅは、例えばＳＡ判定結果１７４が真（ＳＡ発生）であり、かつ、警報判定値切替要求が有る場合に、ＳＡ警報判定値に切り替えることを許可する警報判定値切替許可信号を生成する。ＳＡ判定処理部１７ｅは、生成した警報判定値切替許可信号をＳＡ警報判定値送信部５７へ出力する。
【０１７０】
ＳＡ警報判定値送信部５７は、ＳＡ警報判定値設定部３１ｅから現ＳＡ警報判定値を読み出し、読み出した現ＳＡ警報判定値および警報判定値切替許可を含む伝送データ（図１２に示すＡＮＮ盤伝送）をＡＮＮ盤５に送信する。
【０１７１】
ＡＮＮ盤５では、ＳＡ警報判定値受信部５２が現ＳＡ警報判定値および警報判定値切替許可を含む伝送データを受信する。ＳＡ警報判定値受信部５２は、受信した伝送データに基づいて、ＡＮＮ判定値記憶部５３に記憶するＡＮＮ判定値の一部または全部について更新または追加する。すなわち、警報判定値切替許可が送られると、ＡＮＮ判定値記憶部５３に格納されるＡＮＮ判定値の一部または全部が現ＳＡ警報判定値に切り替えられる。
【０１７２】
ＡＮＮ判定処理部５４は、ＡＮＮ判定値記憶部５３に格納されたＡＮＮ判定値を用いて、ＡＮＮ窓に出力するための警報判定を実施する。ＡＮＮ判定処理部５４は、警報判定の結果をＡＮＮ通報処理部５５へ送信する。
【０１７３】
ＡＮＮ通報処理部５５は、ＡＮＮ判定処理部５４から警報判定の結果を受けて、ＡＮＮ盤５のＡＮＮ窓に警報出力処理を行う。なお、例えば警報判定により警報発生と判定された場合に、ＡＮＮ通報処理部５５は警報を通報（ＡＮＮ窓表示オン、音声等の出力オンなど）する。また、警報判定により警報解除と判定された場合に、ＡＮＮ通報処理部５５は警報を停止（ＡＮＮ窓表示オフ、音声等の出力オフなど）する。
【０１７４】
以上により、ＡＮＮ盤５では、通常運用のプラントにおける警報と、苛酷事故が発生したプラントにおける警報とで、ＡＮＮ判定値を切り替えることができる。
【０１７５】
苛酷事故時支援監視装置１ｅは、さらに外部システム６に通信可能に接続される。これにより、苛酷事故時支援監視システム７ｅでは、苛酷事故時支援監視装置１ｅが現ＳＡ警報判定値をＡＮＮ盤５へ伝送すると共に、例えばプラント側建屋にあるプロセス計算機、緊急対策建屋、オフサイト等の外部システム６へプラントの警報およびこれに対応する現ＳＡ警報判定値を含む伝送データ（図１２に示す外部伝送）を送信することで、これらの外部システム６が現ＳＡ警報判定値を用いて連携することが可能となる。
【０１７６】
ＳＡ専用ＡＮＮ情報処理部５８は、ＳＡ警報判定値送信部５７によりＡＮＮ盤５の警報判定値として現ＳＡ警報判定値が送信された場合に、ＳＡ警報判定値送信部５７から現ＳＡ警報判定値を受ける。また、ＳＡ専用ＡＮＮ情報処理部５８は、ＳＡ警報判定値送信部５７からＳＡ警報が発生したか否かの通知を受ける。
【０１７７】
ＳＡ専用ＡＮＮ情報処理部５８は、ＳＡ警報判定値送信部５７から受けた情報に基づいて、ＡＮＮにおいてＳＡ警報が発生したか否かを示すＳＡ専用ＡＮＮ表示データ（ＳＡ専用画像信号により伝送）を生成する。ＳＡ専用ＡＮＮ情報処理部５８は、このＳＡ専用ＡＮＮ表示データと共に、当該画像に切り替えを要求する画像切替要求信号を中央操作室にあるスクリーン切替装置３に送信する。
【０１７８】
スクリーン切替装置３は、この画像切替要求信号を受けると、中操表示スクリーン４に出力する画像信号を通常画像信号からＳＡ専用画像信号に切り替える。中操表示スクリーン４は、このＳＡ専用画像信号を受信すると、ＳＡ専用のＡＮＮ窓に対応したＳＡ専用ＡＮＮ画面４１０に切り替えて表示することができる。なお、スクリーン切替装置３は、画像切替要求信号が解除されると、通常画像信号に基づいて、所定の通常画像に切り替える。これにより、中操表示スクリーン４は、所定の通常画像である通常のＡＮＮ画面を表示する。
【０１７９】
以上説明したように、苛酷事故時支援監視装置１ｅは、例えば中央制御室に設置しているＡＮＮ盤５および中操表示スクリーン４等と連動して、プラントの通常運転時の警報判定から苛酷事故に対応したＳＡ警報判定に切り替えることができる。また、その逆の切り替えも行う（通常の警報判定に戻す）ことができる。
【０１８０】
これにより、苛酷事故時支援監視装置１ｅは、苛酷事故発生時において、ＡＮＮ盤５に警報が多量に発生することを抑制し、苛酷事故の拡大や復旧に繋がるＳＡ警報のみを選別してＡＮＮ盤５に出力させることができる。これにより、多量の警報が発生することによる運転員の判断に混乱を招くことを回避することができ、また、迅速な復旧操作のための判断を支援することができる。
【０１８１】
この他にも、他の接続装置として、例えばオフサイト等の外部システム６などがある。この外部システム６と苛酷事故時支援監視装置１ｅとが、ネットワーク等の信号伝送回線で接続される。これにより、ＳＡ警報判定値送信部５７から外部システム６へＳＡ警報判定値が伝送可能とされる。外部システム６は、この伝送されたＳＡ警報判定値を用いて、例えばＳＡ警報に特定（選別）される警報状態を監視する。
【０１８２】
第５の実施形態によれば、苛酷事故発生時においてＳＡ警報判定値をＡＮＮ盤に伝送し、ＡＮＮ盤の警報判定値を切り替えることができる。これにより、運転員に対して、プラントの安全停止、事故復旧に繋がる監視項目として重要なＳＡ警報を選別してＡＮＮ窓に出力することができ、より迅速な復旧操作を支援することができる。
【０１８３】
さらに、ＡＮＮ窓にＳＡ警報を表示すると共に、中操表示スクリーンにもＳＡ警報に関する情報を提供することで、例えば緊急対策建屋および発電ユニット建屋間で情報を共有することができる。また、例えばプロセス計算機、オフサイト等の外部システムに対してＳＡ警報に関する支援情報を提供することもでき、苛酷事故時における復旧操作の総合支援が可能となる。
【０１８４】
［他の実施形態］
以上、本発明のいくつかの実施形態を説明したが、これらの実施形態は、例として提示したものであり、発明の範囲を限定することは意図していない。例えば、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。
【符号の説明】
【０１８５】
１ａ、１ｂ、１ｃ、１ｄ、１ｅ…苛酷事故時支援監視装置、２…信号分配装置、３…スクリーン切替装置、４…中操表示スクリーン、５…ＡＮＮ（アナンシェータ）盤、６…外部システム、７ｅ…苛酷事故時支援監視システム、８ｅ…プラント監視システム、１０…計測信号、１１…信号入力処理部、１２…信号分配処理部、１３…信号受信処理部、１４…安全／代替系統信号抽出情報ＤＢ（データベース）、１５…系統信号抽出部、１６…安全／代替系統データ保存部、１７ａ、１７ｂ、１７ｃ、１７ｄ、１７ｅ…ＳＡ（シビアアクシデント）判定処理部、１８…系統起動条件／スケジュール予測部、１９…系統起動条件／スケジュールデータ保存部、２０ａ、２０ｂ…分配信号、２１…監視／信号優先度判定記録部、２２…監視／信号優先度データベース、２３…監視／信号優先度データ保存部、２４…復旧ガイダンス表示部、３１ａ…ＳＡ警報判定値記憶部、３１ｂ、３１ｅ…ＳＡ警報判定値設定部、３２…経過時間データ記録部、３３…ＳＡ警報判定値切替部、３４ｃ、３４ｄ…警報判定処理部、３５…警報状態表示部、４１…信号入力履歴記憶部、４２…安全／代替系統状態履歴記憶部、４３…警報復帰状態学習部、４４…警報復帰時安全／代替系統状態保存部、４５…復旧情報表示部、５１…警報判定値切替部、５２…ＳＡ警報判定値受信部、５３…ＡＮＮ判定値記憶部、５４…ＡＮＮ判定処理部、５５…ＡＮＮ通報処理部、５６…警報判定値切替要求処理部、５７…ＳＡ警報判定値送信部、５８…ＳＡ専用ＡＮＮ情報処理部、５９…他処理部、１００…プラント監視装置、１１０…系統情報表示部、１７０…判定出力、１７１、１７２、１７３…ロジック、１７４…ＳＡ判定結果、１９１…系統起動条件／スケジュールデータ、２４０…復旧ガイダンス画面、２４１〜２４１２、２４２１、２４２２…ガイダンスデータ、４１０…ＳＡ専用ＡＮＮ画面、４５０…復旧履歴データ表示画面、４５１〜４５１２、４５２１、４５２２…ガイダンスデータ、１１０２…信号受信処理部、１１０３…信号警報判定部、１１０４…信号警報判定情報ＤＢ、１１０５…警報情報表示部、４５０１…復旧履歴データ参照ボタン
【図１】
2014206947.tif 000003
【図２】
2014206947.tif 000004
【図３】
2014206947.tif 000005
【図４】
2014206947.tif 000006
【図５】
2014206947.tif 000007
【図６】
2014206947.tif 000008
【図７】
2014206947.tif 000009
【図８】
2014206947.tif 000010
【図９】
2014206947.tif 000011
【図１０】
2014206947.tif 000012
【図１１】
2014206947.tif 000013
【図１２】
2014206947.tif 000014